(57)【要約】【課題】本発明は工事現場用のライトを開示した。【解決手段】取り付け底板を含み、前記切換チャンバの左右内壁には回転輪軸が回転できるように装着され、前記回転輪軸には第一ギヤと第二ギヤとがスプラインにより装着され、ライトを上昇させる時、切換ハンドルを右方へ引き動かし、切換ハンドルが第一ギヤと第二ギヤとを連動させて右方へスライドさせ、これにより第一ギヤが第三ギヤと噛み合い、回転輪を回転させ、回転輪が第三ギヤとネジ山軸とを連動させて回転させ、ネジ山軸が回転して第二支持ロッドを連動させて上方へスライドさせ、これにより照明灯のライトを上昇させ、ライトを低いところから直接に高所まで送ることができ、照明灯が溝の中に収納され、電球が雨や大風に壊されることを防止でき、ライトの照射角度を地面で調節でき、人で高所まで登って調節する必要はなく、安全性が高い。【選択図】図１
2020191277.tif 000002
【特許請求の範囲】
【請求項１】
正面視で、取り付け底板を含み、前記取り付け底板の頂部端面には第一支持ロッドが固定的に装着され、前記第一支持ロッドの中には照明灯全体を推し動かして上方へ伸びさせることができる持ち上げ部品が設置され、前記持ち上げ部品は前記第一支持ロッドの中に設置された切換チャンバを含み、前記切換チャンバの左右内壁には回転輪軸が回転できるように装着され、前記回転輪軸には第一ギヤと第二ギヤとがスプラインにより装着され、前記第一ギヤと前記第二ギヤとの間には連結スリーブが固定的に装着され、前記連結スリーブと前記回転輪軸とがスプラインにより連結され、前記連結スリーブには固定クリップが固定的に装着され、前記切換チャンバの後側内壁と前記第一支持ロッドの  後側端面との間にはハンドル回転軸が回転できるように装着され、前記ハンドル回転軸の後側端面には切換ハンドルが固定的に装着され、前記ハンドル回転軸には第一引きロッドが固定的に装着され、前記ハンドル回転軸の前側端面には第二引きロッドが回転できるように装着され、前記第一引きロッドと前記第二引きロッドとの間には引きロッドバネが固定的に装着され、前記第二引きロッドが前記固定クリップとスライドできるように連結され、前記持ち上げ部品はまた前記切換チャンバの中に回転できるように装着されたネジ山軸を含み、前記ネジ山軸には第二支持ロッドがネジ山により装着され、切換ハンドルを回転させる時、固定クリップが第一ギヤと第二ギヤとを引き動かして回転輪軸でスライドさせ、第二ギヤがネジ山軸を連動させて回転させ、これにより照明灯が上昇することができ、前記第二支持ロッドの頂部端面には台座が固定的に装着され、前記台座の中にはライトの照射角度を調節できる調節部品が設置され、前記調節部品は前記台座の中に設置されたギヤチャンバを含み、前記台座の外側端面には外側へ開口した四つの収納溝が前記ギヤチャンバを中心として対称となるように設置され、前記収納溝は電球を前記台座に収納でき、これにより雨が降る時と風が吹く時にライトを壊すことを防止し、前記収納溝の片側内壁の中には前記収納溝に連通しているスライドロッド溝が設置され、前記スライドロッド溝の中にはスライドロッドがスライドできるように装着され、前記スライドロッドの片側末端には電球がヒンジにより装着され、前記スライドロッドには固定ブロックが固定的に装着され、前記固定ブロックと前記電球との間には前記電球を一定の角度に回転させた後で自動的に復帰する復帰バネが固定的に装着され、前記電球の片側端面と前記収納溝の底壁には前記電球を引き動かして回転させることができる引きひもが設置され、これによりライトの角度調節を実現することを特徴とする工事現場用のライト。
【請求項２】
前記持ち上げ部品はまた前記回転輪軸の左側端面に固定的に装着された回転輪を含み、前記ネジ山軸の底部端面には第三ギヤが固定的に装着され、前記第三ギヤが前記第一ギヤと噛み合うことができることを特徴とする請求項１に記載の工事現場用のライト。
【請求項３】
前記調節部品はまた前記ネジ山軸の中に設置されたスプラインスリーブスライド溝を含み、前記スプラインスリーブスライド溝の底壁と前記第三ギヤの底部端面との間にはスプライン軸が回転できるように装着され、前記スプライン軸が前記第三ギヤと回転できるように装着され、前記スプライン軸の底部端面には第四ギヤが固定的に装着され、前記第四ギヤが前記第二ギヤと噛み合うことができ、前記スプラインスリーブスライド溝の中にはスプラインスリーブ軸が回転できるように装着され、前記スプラインスリーブ軸が前記スプラインスリーブスライド溝とスプラインにより連結され、前記スプラインスリーブ軸が上方へ伸びて前記ギヤチャンバの中に入っており、前記スプラインスリーブ軸が前記台座と回転できるように連結され、前記スプラインスリーブ軸の頂部端面には第五ギヤが固定的に装着され、前記ギヤチャンバと前記スライドロッド溝との間にはギヤ軸が回転できるように装着され、前記ギヤ軸が前記スライドロッドとネジ山により連結され、前記ギヤ軸の片側端面には第六ギヤが固定的に装着され、前記第六ギヤが前記第五ギヤと噛み合い、前記固定ブロックには補助引きロッドがヒンジにより装着され、前記補助引きロッドが前記収納溝の頂壁とスライドできるように連結され、前記台座の端面には前記収納溝を閉じられる四つの閉じ蓋が前記ギヤチャンバを中心として対称となるようにヒンジにより装着され、前記台座の片側端面には永久磁石が固定的に装着され、前記永久磁石が前記閉じ蓋を吸引して収納溝を閉じさせることができることを特徴とする請求項１に記載の工事現場用のライト。
【発明の詳細な説明】
【技術分野】
【０００１】
本発明は建築施工用品分野を取り上げて、具体的には工事現場用のライトである。
【背景技術】
【０００２】
夜に建築施工する時、照明灯を使用する必要があり、現在使用されている工事現場の照明灯は一般的に高所に掛けられ、しかし、高所の環境では照明灯が大風に壊されやすく、照明灯の照射角度と照射面積を変えようとする時、人が高所まで登って調整する必要があり、安全に隠れたリスクが存在している。  
【先行技術文献】
【特許文献】
【０００３】
【特許文献１】中国特許出願公開第１０７０２７８号明細書
【発明の概要】
【発明が解決しようとする課題】
【０００４】
本発明は工事現場用のライトを提供し、従来技術における上記欠点を解消することを目的とする。
【課題を解決するための手段】
【０００５】
本発明の実施例の工事現場用のライトは、取り付け底板を含み、前記取り付け底板の頂部端面には第一支持ロッドが固定的に装着され、前記第一支持ロッドの中には照明灯全体を推し動かして上方へ伸びさせることができる持ち上げ部品が設置され、前記持ち上げ部品は前記第一支持ロッドの中に設置された切換チャンバを含み、前記切換チャンバの左右内壁には回転輪軸が回転できるように装着され、前記回転輪軸には第一ギヤと第二ギヤとがスプラインにより装着され、前記第一ギヤと前記第二ギヤとの間には連結スリーブが固定的に装着され、前記連結スリーブと前記回転輪軸とがスプラインにより連結され、前記連結スリーブには固定クリップが固定的に装着され、前記切換チャンバの後側内壁と前記第一支持ロッドの  後側端面との間にはハンドル回転軸が回転できるように装着され、前記ハンドル回転軸の後側端面には切換ハンドルが固定的に装着され、前記ハンドル回転軸には第一引きロッドが固定的に装着され、前記ハンドル回転軸の前側端面には第二引きロッドが回転できるように装着され、前記第一引きロッドと前記第二引きロッドとの間には引きロッドバネが固定的に装着され、前記第二引きロッドが前記固定クリップとスライドできるように連結され、前記持ち上げ部品はまた前記切換チャンバの中に回転できるように装着されたネジ山軸を含み、前記ネジ山軸には第二支持ロッドがネジ山により装着され、切換ハンドルを回転させる時、固定クリップが第一ギヤと第二ギヤとを引き動かして回転輪軸でスライドさせ、第二ギヤがネジ山軸を連動させて回転させ、これにより照明灯が上昇することができ、前記第二支持ロッドの頂部端面には台座が固定的に装着され、前記台座の中にはライトの照射角度を調節できる調節部品が設置され、前記調節部品は前記台座の中に設置されたギヤチャンバを含み、前記台座の外側端面には外側へ開口した四つの収納溝が前記ギヤチャンバを中心として対称となるように設置され、前記収納溝は電球を前記台座に収納でき、これにより雨が降る時と風が吹く時にライトを壊すことを防止し、前記収納溝の片側内壁の中には前記収納溝に連通しているスライドロッド溝が設置され、前記スライドロッド溝の中にはスライドロッドがスライドできるように装着され、前記スライドロッドの片側末端には電球がヒンジにより装着され、前記スライドロッドには固定ブロックが固定的に装着され、前記固定ブロックと前記電球との間には前記電球を一定の角度に回転させた後で自動的に復帰する復帰バネが固定的に装着され、前記電球の片側端面と前記収納溝の底壁には前記電球を引き動かして回転させることができる引きひもが設置され、これによりライトの角度調節を実現する。
【０００６】
好ましくは、前記持ち上げ部品はまた前記回転輪軸の左側端面に固定的に装着された回転輪を含み、前記ネジ山軸の底部端面には第三ギヤが固定的に装着され、前記第三ギヤが前記第一ギヤと噛み合うことができる。
【０００７】
好ましくは、前記調節部品はまた前記ネジ山軸の中に設置されたスプラインスリーブスライド溝を含み、前記スプラインスリーブスライド溝の底壁と前記第三ギヤの底部端面との間にはスプライン軸が回転できるように装着され、前記スプライン軸が前記第三ギヤと回転できるように装着され、前記スプライン軸の底部端面には第四ギヤが固定的に装着され、前記第四ギヤが前記第二ギヤと噛み合うことができ、前記スプラインスリーブスライド溝の中にはスプラインスリーブ軸が回転できるように装着され、前記スプラインスリーブ軸が前記スプラインスリーブスライド溝とスプラインにより連結され、前記スプラインスリーブ軸が上方へ伸びて前記ギヤチャンバの中に入っており、前記スプラインスリーブ軸が前記台座と回転できるように連結され、前記スプラインスリーブ軸の頂部端面には第五ギヤが固定的に装着され、前記ギヤチャンバと前記スライドロッド溝との間にはギヤ軸が回転できるように装着され、前記ギヤ軸が前記スライドロッドとネジ山により連結され、前記ギヤ軸の片側端面には第六ギヤが固定的に装着され、前記第六ギヤが前記第五ギヤと噛み合い、前記固定ブロックには補助引きロッドがヒンジにより装着され、前記補助引きロッドが前記収納溝の頂壁とスライドできるように連結され、前記台座の端面には前記収納溝を閉じられる四つの閉じ蓋が前記ギヤチャンバを中心として対称となるようにヒンジにより装着され、前記台座の片側端面には永久磁石が固定的に装着され、前記永久磁石が前記閉じ蓋を吸引して収納溝を閉じさせることができる。
【発明の効果】
【０００８】
有益効果は：本発明はライトを低いところから直接に高所まで送ることができ、照明灯が溝の中に収納され、電球が雨や大風に壊されることを防止でき、ライトの照射角度を地面で調節でき、人で高所まで登って調節する必要はなく、安全性が高く、普及する価値がある。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成模式図
【図２】図２は図１の中のＡ―Ａ方向の断面構成模式図
【図３】図３は図１の中のＢ―Ｂ方向の断面構成模式図
【発明を実施するための形態】
【００１１】
図１〜３を参照し、本発明の実施例の工事現場用のライトは、取り付け底板１０を含み、前記取り付け底板１０の頂部端面には第一支持ロッド１１が固定的に装着され、前記第一支持ロッド１１の中には照明灯全体を推し動かして上方へ伸びさせることができる持ち上げ部品８０が設置され、前記持ち上げ部品８０は前記第一支持ロッド１１の中に設置された切換チャンバ１２を含み、前記切換チャンバ１２の左右内壁には回転輪軸１４が回転できるように装着され、前記回転輪軸１４には第一ギヤ１５と第二ギヤ１７とがスプラインにより装着され、前記第一ギヤ１５と前記第二ギヤ１７との間には連結スリーブ４５が固定的に装着され、前記連結スリーブ４５と前記回転輪軸１４とがスプラインにより連結され、前記連結スリーブ４５には固定クリップ１６が固定的に装着され、前記切換チャンバ１２の後側内壁と前記第一支持ロッド１１の  後側端面との間にはハンドル回転軸４１が回転できるように装着され、前記ハンドル回転軸４１の後側端面には切換ハンドル４０が固定的に装着され、前記ハンドル回転軸４１には第一引きロッド４２が固定的に装着され、前記ハンドル回転軸４１の前側端面には第二引きロッド４３が回転できるように装着され、前記第一引きロッド４２と前記第二引きロッド４３との間には引きロッドバネ４４が固定的に装着され、前記第二引きロッド４３が前記固定クリップ１６とスライドできるように連結され、前記持ち上げ部品８０はまた前記切換チャンバ１２の中に回転できるように装着されたネジ山軸２１を含み、前記ネジ山軸２１には第二支持ロッド２３がネジ山により装着され、切換ハンドル４０を回転させる時、固定クリップ１６が第一ギヤ１５と第二ギヤ１７とを引き動かして回転輪軸１４でスライドさせ、第二ギヤ１７がネジ山軸２１を連動させて回転させ、これにより照明灯が上昇することができ、前記第二支持ロッド２３の頂部端面には台座２６が固定的に装着され、前記台座２６の中にはライトの照射角度を調節できる調節部品８１が設置され、前記調節部品８１は前記台座２６の中に設置されたギヤチャンバ２７を含み、前記台座２６の外側端面には外側へ開口した四つの収納溝３２が前記ギヤチャンバ２７を中心として対称となるように設置され、前記収納溝３２は電球を前記台座２６に収納でき、これにより雨が降る時と風が吹く時にライトを壊すことを防止し、前記収納溝３２の片側内壁の中には前記収納溝３２に連通しているスライドロッド溝２２が設置され、前記スライドロッド溝２２の中にはスライドロッド３１がスライドできるように装着され、前記スライドロッド３１の片側末端には電球３７がヒンジにより装着され、前記スライドロッド３１には固定ブロック３４が固定的に装着され、前記固定ブロック３４と前記電球３７との間には前記電球３７を一定の角度に回転させた後で自動的に復帰する復帰バネ３６が固定的に装着され、前記電球３７の片側端面と前記収納溝３２の底壁には前記電球３７を引き動かして回転させることができる引きひも３３が設置され、これによりライトの角度調節を実現する。
【００１２】
前記持ち上げ部品８０はまた前記回転輪軸１４の左側端面に固定的に装着された回転輪１３を含み、前記ネジ山軸２１の底部端面には第三ギヤ２０が固定的に装着され、前記第三ギヤ２０が前記第一ギヤ１５と噛み合うことができ、これによりライトを上昇させる時、切換ハンドル４０を右方へ引き動かし、切換ハンドル４０が第一ギヤ１５と第二ギヤ１７とを連動させて右方へスライドさせ、これにより第一ギヤ１５が第三ギヤ２０と噛み合い、回転輪１３を回転させ、回転輪１３が第一ギヤ１５を連動させて回転させ、第一ギヤ１５が回転して第三ギヤ２０とネジ山軸２１とを連動させて回転させ、ネジ山軸２１が回転して第二支持ロッド２３を連動させて上方へスライドさせ、これにより照明灯のライトを上昇させる。
【００１３】
前記調節部品８１はまた前記ネジ山軸２１の中に設置されたスプラインスリーブスライド溝２４を含み、前記スプラインスリーブスライド溝２４の底壁と前記第三ギヤ２０の底部端面との間にはスプライン軸１９が回転できるように装着され、前記スプライン軸１９が前記第三ギヤ２０と回転できるように装着され、前記スプライン軸１９の底部端面には第四ギヤ１８が固定的に装着され、前記第四ギヤ１８が前記第二ギヤ１７と噛み合うことができ、前記スプラインスリーブスライド溝２４の中にはスプラインスリーブ軸２５が回転できるように装着され、前記スプラインスリーブ軸２５が前記スプラインスリーブスライド溝２４とスプラインにより連結され、前記スプラインスリーブ軸２５が上方へ伸びて前記ギヤチャンバ２７の中に入っており、前記スプラインスリーブ軸２５が前記台座２６と回転できるように連結され、前記スプラインスリーブ軸２５の頂部端面には第五ギヤ２９が固定的に装着され、前記ギヤチャンバ２７と前記スライドロッド溝２２との間にはギヤ軸３０が回転できるように装着され、前記ギヤ軸３０が前記スライドロッド３１とネジ山により連結され、前記ギヤ軸３０の片側端面には第六ギヤ２８が固定的に装着され、前記第六ギヤ２８が前記第五ギヤ２９と噛み合い、前記固定ブロック３４には補助引きロッド３５がヒンジにより装着され、前記補助引きロッド３５が前記収納溝３２の頂壁とスライドできるように連結され、前記台座２６の端面には前記収納溝３２を閉じられる四つの閉じ蓋３８が前記ギヤチャンバ２７を中心として対称となるようにヒンジにより装着され、前記台座２６の片側端面には永久磁石３９が固定的に装着され、前記永久磁石３９が前記閉じ蓋３８を吸引して収納溝３２を閉じさせることができ、これによりライトの角度を調節する時、切換ハンドル４０を左方へ引き動かし、これにより第二ギヤ１７が左側へスライドして第四ギヤ１８と噛み合い、回転輪１３を揺り動かし、回転輪１３が第二ギヤ１７を連動させて回転させ、第二ギヤ１７が第四ギヤ１８を連動させて回転させ、第四ギヤ１８が回転してスプラインスリーブ軸２５と第五ギヤ２９とを連動させて回転させ、第五ギヤ２９が回転してスライドロッド３１を連動させて収納溝３２の外側へスライドさせ、電球３７が閉じ蓋３８を押して開かせ、引きひも３３が電球３７を引き動かして回転させ、これにより電球３７の照射角度を変え、補助引きロッド３５が電球３７を補助支持でき、回転輪１３を逆方向へ回転させる時、電球３７を収納溝３２の中に戻すことができ、台座２６が電球３７の角度を復帰させる。
【００１４】
使用する時、ライトを上昇させる時、切換ハンドル４０を右方へ引き動かし、切換ハンドル４０が第一ギヤ１５と第二ギヤ１７とを連動させて右方へスライドさせ、これにより第一ギヤ１５が第三ギヤ２０と噛み合い、回転輪１３を回転させ、回転輪１３が第三ギヤ２０とネジ山軸２１とを連動させて回転させ、ネジ山軸２１が回転して第二支持ロッド２３を連動させて上方へスライドさせ、これにより照明灯のライトを上昇させ、ライトの角度を調節する時、切換ハンドル４０を左方へ引き動かし、これにより第二ギヤ１７が左側へスライドして第四ギヤ１８と噛み合い、回転輪１３を揺り動かし、回転輪１３が第六ギヤ２８を連動させて回転させ、第六ギヤ２８が回転してギヤ軸３０を連動させて回転させ、ギヤ軸３０が回転してスライドロッド３１を連動させて収納溝３２の外側へスライドさせ、電球３７が閉じ蓋３８を押して開かせ、電球３７が外側へスライドする時、引きひも３３が電球３７を引き動かしてスライドロッド３１とのヒンジ連結の中心を回って回転させ、これにより電球３７の照射角度を変え、補助引きロッド３５が電球３７を補助支持でき、回転輪１３を逆方向へ回転させる時、電球３７を収納溝３２の中に戻すことができ、台座２６が電球３７の角度を復帰させる。
【００１５】
有益効果は：本発明はライトを低いところから直接に高所まで送ることができ、照明灯が溝の中に収納され、電球が雨や大風に壊されることを防止でき、ライトの照射角度を地面で調節でき、人で高所まで登って調節する必要はなく、安全性が高く、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020191277.tif 000003
【図２】
2020191277.tif 000004
【図３】
2020191277.tif 000005
【手続補正書】
【提出日】令和1年11月4日(2019.11.4)
【手続補正１】
【補正対象書類名】特許請求の範囲
【補正対象項目名】全文
【補正方法】変更
【補正の内容】
【特許請求の範囲】
【請求項１】
正面視で、取り付け底板を含み、前記取り付け底板の頂部端面には第一支持ロッドが固定的に装着され、前記第一支持ロッドの中には照明灯全体を推し動かして上方へ伸びさせることができる持ち上げ部品が設置され、前記持ち上げ部品は前記第一支持ロッドの中に設置された切換チャンバを含み、前記切換チャンバの左右内壁には回転輪軸が回転できるように装着され、前記回転輪軸には第一ギヤと第二ギヤとがスプラインにより装着され、前記第一ギヤと前記第二ギヤとの間には連結スリーブが固定的に装着され、前記連結スリーブと前記回転輪軸とがスプラインにより連結され、前記連結スリーブには固定クリップが固定的に装着され、前記切換チャンバの後側内壁と前記第一支持ロッドの  後側端面との間にはハンドル回転軸が回転できるように装着され、前記ハンドル回転軸の後側端面には切換ハンドルが固定的に装着され、前記ハンドル回転軸には第一引きロッドが固定的に装着され、前記ハンドル回転軸の前側端面には第二引きロッドが回転できるように装着され、前記第一引きロッドと前記第二引きロッドとの間には引きロッドバネが固定的に装着され、前記第二引きロッドが前記固定クリップとスライドできるように連結され、前記持ち上げ部品はまた前記切換チャンバの中に回転できるように装着されたネジ山軸を含み、前記ネジ山軸には第二支持ロッドがネジ山により装着され、切換ハンドルを回転させる時、固定クリップが第一ギヤと第二ギヤとを引き動かして回転輪軸でスライドさせ、第一ギヤがネジ山軸を連動させて回転させ、これにより照明灯が上昇することができ、前記第二支持ロッドの頂部端面には台座が固定的に装着され、前記台座の中にはライトの照射角度を調節できる調節部品が設置され、前記調節部品は前記台座の中に設置されたギヤチャンバを含み、前記台座の外側端面には外側へ開口した四つの収納溝が前記ギヤチャンバを中心として対称となるように設置され、前記収納溝は電球を前記台座に収納でき、これにより雨が降る時と風が吹く時にライトを壊すことを防止し、前記収納溝の片側内壁の中には前記収納溝に連通しているスライドロッド溝が設置され、前記スライドロッド溝の中にはスライドロッドがスライドできるように装着され、前記スライドロッドの片側末端には電球がヒンジにより装着され、前記スライドロッドには固定ブロックが固定的に装着され、前記固定ブロックと前記電球との間には前記電球を一定の角度に回転させた後で自動的に復帰する復帰バネが固定的に装着され、前記電球の片側端面と前記収納溝の底壁には前記電球を引き動かして回転させることができる引きひもが設置され、これによりライトの角度調節を実現することを特徴とする工事現場用のライト。
【請求項２】
前記持ち上げ部品はまた前記回転輪軸の左側端面に固定的に装着された回転輪を含み、前記ネジ山軸の底部端面には第三ギヤが固定的に装着され、前記第三ギヤが前記第一ギヤと噛み合うことができることを特徴とする請求項１に記載の工事現場用のライト。
【請求項３】
前記調節部品はまた前記ネジ山軸の中に設置されたスプラインスリーブスライド溝を含み、前記スプラインスリーブスライド溝の底壁と前記第三ギヤの底部端面との間にはスプライン軸が回転できるように装着され、前記スプライン軸が前記第三ギヤと回転できるように装着され、前記スプライン軸の底部端面には第四ギヤが固定的に装着され、前記第四ギヤが前記第二ギヤと噛み合うことができ、前記スプラインスリーブスライド溝の中にはスプラインスリーブ軸が回転できるように装着され、前記スプラインスリーブ軸が前記スプラインスリーブスライド溝とスプラインにより連結され、前記スプラインスリーブ軸が上方へ伸びて前記ギヤチャンバの中に入っており、前記スプラインスリーブ軸が前記台座と回転できるように連結され、前記スプラインスリーブ軸の頂部端面には第五ギヤが固定的に装着され、前記ギヤチャンバと前記スライドロッド溝との間にはギヤ軸が回転できるように装着され、前記ギヤ軸が前記スライドロッドとネジ山により連結され、前記ギヤ軸の片側端面には第六ギヤが固定的に装着され、前記第六ギヤが前記第五ギヤと噛み合い、前記固定ブロックには補助引きロッドがヒンジにより装着され、前記補助引きロッドが前記収納溝の頂壁とスライドできるように連結され、前記台座の端面には前記収納溝を閉じられる四つの閉じ蓋が前記ギヤチャンバを中心として対称となるようにヒンジにより装着され、前記台座の片側端面には永久磁石が固定的に装着され、前記永久磁石が前記閉じ蓋を吸引して収納溝を閉じさせることができることを特徴とする請求項２に記載の工事現場用のライト。
【手続補正２】
【補正対象書類名】明細書
【補正対象項目名】全文
【補正方法】変更
【補正の内容】
【発明の詳細な説明】
【技術分野】
【０００１】
本発明は建築施工用品分野を取り上げて、具体的には工事現場用のライトである。
【背景技術】
【０００２】
夜に建築施工する時、照明灯を使用する必要があり、現在使用されている工事現場の照明灯は一般的に高所に掛けられ、しかし、高所の環境では照明灯が大風に壊されやすく、照明灯の照射角度と照射面積を変えようとする時、人が高所まで登って調整する必要があり、安全に隠れたリスクが存在している。  
【先行技術文献】
【特許文献】
【０００３】
【特許文献１】中国特許出願公開第１０７０２７８号明細書
【発明の概要】
【発明が解決しようとする課題】
【０００４】
本発明は工事現場用のライトを提供し、従来技術における上記欠点を解消することを目的とする。
【課題を解決するための手段】
【０００５】
本発明の実施例の工事現場用のライトは、取り付け底板を含み、前記取り付け底板の頂部端面には第一支持ロッドが固定的に装着され、前記第一支持ロッドの中には照明灯全体を推し動かして上方へ伸びさせることができる持ち上げ部品が設置され、前記持ち上げ部品は前記第一支持ロッドの中に設置された切換チャンバを含み、前記切換チャンバの左右内壁には回転輪軸が回転できるように装着され、前記回転輪軸には第一ギヤと第二ギヤとがスプラインにより装着され、前記第一ギヤと前記第二ギヤとの間には連結スリーブが固定的に装着され、前記連結スリーブと前記回転輪軸とがスプラインにより連結され、前記連結スリーブには固定クリップが固定的に装着され、前記切換チャンバの後側内壁と前記第一支持ロッドの  後側端面との間にはハンドル回転軸が回転できるように装着され、前記ハンドル回転軸の後側端面には切換ハンドルが固定的に装着され、前記ハンドル回転軸には第一引きロッドが固定的に装着され、前記ハンドル回転軸の前側端面には第二引きロッドが回転できるように装着され、前記第一引きロッドと前記第二引きロッドとの間には引きロッドバネが固定的に装着され、前記第二引きロッドが前記固定クリップとスライドできるように連結され、前記持ち上げ部品はまた前記切換チャンバの中に回転できるように装着されたネジ山軸を含み、前記ネジ山軸には第二支持ロッドがネジ山により装着され、切換ハンドルを回転させる時、固定クリップが第一ギヤと第二ギヤとを引き動かして回転輪軸でスライドさせ、第一ギヤがネジ山軸を連動させて回転させ、これにより照明灯が上昇することができ、前記第二支持ロッドの頂部端面には台座が固定的に装着され、前記台座の中にはライトの照射角度を調節できる調節部品が設置され、前記調節部品は前記台座の中に設置されたギヤチャンバを含み、前記台座の外側端面には外側へ開口した四つの収納溝が前記ギヤチャンバを中心として対称となるように設置され、前記収納溝は電球を前記台座に収納でき、これにより雨が降る時と風が吹く時にライトを壊すことを防止し、前記収納溝の片側内壁の中には前記収納溝に連通しているスライドロッド溝が設置され、前記スライドロッド溝の中にはスライドロッドがスライドできるように装着され、前記スライドロッドの片側末端には電球がヒンジにより装着され、前記スライドロッドには固定ブロックが固定的に装着され、前記固定ブロックと前記電球との間には前記電球を一定の角度に回転させた後で自動的に復帰する復帰バネが固定的に装着され、前記電球の片側端面と前記収納溝の底壁には前記電球を引き動かして回転させることができる引きひもが設置され、これによりライトの角度調節を実現する。
【０００６】
好ましくは、前記持ち上げ部品はまた前記回転輪軸の左側端面に固定的に装着された回転輪を含み、前記ネジ山軸の底部端面には第三ギヤが固定的に装着され、前記第三ギヤが前記第一ギヤと噛み合うことができる。
【０００７】
好ましくは、前記調節部品はまた前記ネジ山軸の中に設置されたスプラインスリーブスライド溝を含み、前記スプラインスリーブスライド溝の底壁と前記第三ギヤの底部端面との間にはスプライン軸が回転できるように装着され、前記スプライン軸が前記第三ギヤと回転できるように装着され、前記スプライン軸の底部端面には第四ギヤが固定的に装着され、前記第四ギヤが前記第二ギヤと噛み合うことができ、前記スプラインスリーブスライド溝の中にはスプラインスリーブ軸が回転できるように装着され、前記スプラインスリーブ軸が前記スプラインスリーブスライド溝とスプラインにより連結され、前記スプラインスリーブ軸が上方へ伸びて前記ギヤチャンバの中に入っており、前記スプラインスリーブ軸が前記台座と回転できるように連結され、前記スプラインスリーブ軸の頂部端面には第五ギヤが固定的に装着され、前記ギヤチャンバと前記スライドロッド溝との間にはギヤ軸が回転できるように装着され、前記ギヤ軸が前記スライドロッドとネジ山により連結され、前記ギヤ軸の片側端面には第六ギヤが固定的に装着され、前記第六ギヤが前記第五ギヤと噛み合い、前記固定ブロックには補助引きロッドがヒンジにより装着され、前記補助引きロッドが前記収納溝の頂壁とスライドできるように連結され、前記台座の端面には前記収納溝を閉じられる四つの閉じ蓋が前記ギヤチャンバを中心として対称となるようにヒンジにより装着され、前記台座の片側端面には永久磁石が固定的に装着され、前記永久磁石が前記閉じ蓋を吸引して収納溝を閉じさせることができる。
【発明の効果】
【０００８】
有益効果は：本発明はライトを低いところから直接に高所まで送ることができ、照明灯が溝の中に収納され、電球が雨や大風に壊されることを防止でき、ライトの照射角度を地面で調節でき、人で高所まで登って調節する必要はなく、安全性が高く、普及する価値がある。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成模式図
【図２】図２は図１の中のＡ―Ａ方向の断面構成模式図
【図３】図３は図１の中のＢ―Ｂ方向の断面構成模式図
【発明を実施するための形態】
【００１１】
図１〜３を参照し、本発明の実施例の工事現場用のライトは、取り付け底板１０を含み、前記取り付け底板１０の頂部端面には第一支持ロッド１１が固定的に装着され、前記第一支持ロッド１１の中には照明灯全体を推し動かして上方へ伸びさせることができる持ち上げ部品８０が設置され、前記持ち上げ部品８０は前記第一支持ロッド１１の中に設置された切換チャンバ１２を含み、前記切換チャンバ１２の左右内壁には回転輪軸１４が回転できるように装着され、前記回転輪軸１４には第一ギヤ１５と第二ギヤ１７とがスプラインにより装着され、前記第一ギヤ１５と前記第二ギヤ１７との間には連結スリーブ４５が固定的に装着され、前記連結スリーブ４５と前記回転輪軸１４とがスプラインにより連結され、前記連結スリーブ４５には固定クリップ１６が固定的に装着され、前記切換チャンバ１２の後側内壁と前記第一支持ロッド１１の  後側端面との間にはハンドル回転軸４１が回転できるように装着され、前記ハンドル回転軸４１の後側端面には切換ハンドル４０が固定的に装着され、前記ハンドル回転軸４１には第一引きロッド４２が固定的に装着され、前記ハンドル回転軸４１の前側端面には第二引きロッド４３が回転できるように装着され、前記第一引きロッド４２と前記第二引きロッド４３との間には引きロッドバネ４４が固定的に装着され、前記第二引きロッド４３が前記固定クリップ１６とスライドできるように連結され、前記持ち上げ部品８０はまた前記切換チャンバ１２の中に回転できるように装着されたネジ山軸２１を含み、前記ネジ山軸２１には第二支持ロッド２３がネジ山により装着され、切換ハンドル４０を回転させる時、固定クリップ１６が第一ギヤ１５と第二ギヤ１７とを引き動かして回転輪軸１４でスライドさせ、第一ギヤ１５がネジ山軸２１を連動させて回転させ、これにより照明灯が上昇することができ、前記第二支持ロッド２３の頂部端面には台座２６が固定的に装着され、前記台座２６の中にはライトの照射角度を調節できる調節部品８１が設置され、前記調節部品８１は前記台座２６の中に設置されたギヤチャンバ２７を含み、前記台座２６の外側端面には外側へ開口した四つの収納溝３２が前記ギヤチャンバ２７を中心として対称となるように設置され、前記収納溝３２は電球を前記台座２６に収納でき、これにより雨が降る時と風が吹く時にライトを壊すことを防止し、前記収納溝３２の片側内壁の中には前記収納溝３２に連通しているスライドロッド溝２２が設置され、前記スライドロッド溝２２の中にはスライドロッド３１がスライドできるように装着され、前記スライドロッド３１の片側末端には電球３７がヒンジにより装着され、前記スライドロッド３１には固定ブロック３４が固定的に装着され、前記固定ブロック３４と前記電球３７との間には前記電球３７を一定の角度に回転させた後で自動的に復帰する復帰バネ３６が固定的に装着され、前記電球３７の片側端面と前記収納溝３２の底壁には前記電球３７を引き動かして回転させることができる引きひも３３が設置され、これによりライトの角度調節を実現する。
【００１２】
前記持ち上げ部品８０はまた前記回転輪軸１４の左側端面に固定的に装着された回転輪１３を含み、前記ネジ山軸２１の底部端面には第三ギヤ２０が固定的に装着され、前記第三ギヤ２０が前記第一ギヤ１５と噛み合うことができ、これによりライトを上昇させる時、切換ハンドル４０を右方へ引き動かし、切換ハンドル４０が第一ギヤ１５と第二ギヤ１７とを連動させて右方へスライドさせ、これにより第一ギヤ１５が第三ギヤ２０と噛み合い、回転輪１３を回転させ、回転輪１３が第一ギヤ１５を連動させて回転させ、第一ギヤ１５が回転して第三ギヤ２０とネジ山軸２１とを連動させて回転させ、ネジ山軸２１が回転して第二支持ロッド２３を連動させて上方へスライドさせ、これにより照明灯のライトを上昇させる。
【００１３】
前記調節部品８１はまた前記ネジ山軸２１の中に設置されたスプラインスリーブスライド溝２４を含み、前記スプラインスリーブスライド溝２４の底壁と前記第三ギヤ２０の底部端面との間にはスプライン軸１９が回転できるように装着され、前記スプライン軸１９が前記第三ギヤ２０と回転できるように装着され、前記スプライン軸１９の底部端面には第四ギヤ１８が固定的に装着され、前記第四ギヤ１８が前記第二ギヤ１７と噛み合うことができ、前記スプラインスリーブスライド溝２４の中にはスプラインスリーブ軸２５が回転できるように装着され、前記スプラインスリーブ軸２５が前記スプラインスリーブスライド溝２４とスプラインにより連結され、前記スプラインスリーブ軸２５が上方へ伸びて前記ギヤチャンバ２７の中に入っており、前記スプラインスリーブ軸２５が前記台座２６と回転できるように連結され、前記スプラインスリーブ軸２５の頂部端面には第五ギヤ２９が固定的に装着され、前記ギヤチャンバ２７と前記スライドロッド溝２２との間にはギヤ軸３０が回転できるように装着され、前記ギヤ軸３０が前記スライドロッド３１とネジ山により連結され、前記ギヤ軸３０の片側端面には第六ギヤ２８が固定的に装着され、前記第六ギヤ２８が前記第五ギヤ２９と噛み合い、前記固定ブロック３４には補助引きロッド３５がヒンジにより装着され、前記補助引きロッド３５が前記収納溝３２の頂壁とスライドできるように連結され、前記台座２６の端面には前記収納溝３２を閉じられる四つの閉じ蓋３８が前記ギヤチャンバ２７を中心として対称となるようにヒンジにより装着され、前記台座２６の片側端面には永久磁石３９が固定的に装着され、前記永久磁石３９が前記閉じ蓋３８を吸引して収納溝３２を閉じさせることができ、これによりライトの角度を調節する時、切換ハンドル４０を左方へ引き動かし、これにより第二ギヤ１７が左側へスライドして第四ギヤ１８と噛み合い、回転輪１３を揺り動かし、回転輪１３が第二ギヤ１７を連動させて回転させ、第二ギヤ１７が第四ギヤ１８を連動させて回転させ、第四ギヤ１８が回転してスプラインスリーブ軸２５と第五ギヤ２９とを連動させて回転させ、第五ギヤ２９が回転してスライドロッド３１を連動させて収納溝３２の外側へスライドさせ、電球３７が閉じ蓋３８を押して開かせ、引きひも３３が電球３７を引き動かして回転させ、これにより電球３７の照射角度を変え、補助引きロッド３５が電球３７を補助支持でき、回転輪１３を逆方向へ回転させる時、電球３７を収納溝３２の中に戻すことができ、台座２６が電球３７の角度を復帰させる。
【００１４】
使用する時、ライトを上昇させる時、切換ハンドル４０を右方へ引き動かし、切換ハンドル４０が第一ギヤ１５と第二ギヤ１７とを連動させて右方へスライドさせ、これにより第一ギヤ１５が第三ギヤ２０と噛み合い、回転輪１３を回転させ、回転輪１３が第三ギヤ２０とネジ山軸２１とを連動させて回転させ、ネジ山軸２１が回転して第二支持ロッド２３を連動させて上方へスライドさせ、これにより照明灯のライトを上昇させ、ライトの角度を調節する時、切換ハンドル４０を左方へ引き動かし、これにより第二ギヤ１７が左側へスライドして第四ギヤ１８と噛み合い、回転輪１３を揺り動かし、回転輪１３が第六ギヤ２８を連動させて回転させ、第六ギヤ２８が回転してギヤ軸３０を連動させて回転させ、ギヤ軸３０が回転してスライドロッド３１を連動させて収納溝３２の外側へスライドさせ、電球３７が閉じ蓋３８を押して開かせ、電球３７が外側へスライドする時、引きひも３３が電球３７を引き動かしてスライドロッド３１とのヒンジ連結の中心を回って回転させ、これにより電球３７の照射角度を変え、補助引きロッド３５が電球３７を補助支持でき、回転輪１３を逆方向へ回転させる時、電球３７を収納溝３２の中に戻すことができ、台座２６が電球３７の角度を復帰させる。
【００１５】
有益効果は：本発明はライトを低いところから直接に高所まで送ることができ、照明灯が溝の中に収納され、電球が雨や大風に壊されることを防止でき、ライトの照射角度を地面で調節でき、人で高所まで登って調節する必要はなく、安全性が高く、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。